(57)【特許請求の範囲】
【請求項１】
筒形ケースとこの筒形ケース内を往復動し得る作動部材とを備え、
上記筒形ケースは、第１の流体を上記筒形ケース内に導入する第１の導入口と、第２の流体を上記筒形ケース内に導入する第２の導入口と、上記第１の導入口から上記筒形ケース内に導入される上記第１の流体をこの筒形ケース内から外部に流出させる第１の流出口と、上記第２の導入口から上記筒形ケース内に導入される上記第２の流体をこの筒形ケース内から外部に流出させる第２の流出口とを有し、
上記作動部材は、上記第２の導入口から上記筒形ケース内に導入される上記第２の流体の圧力の大きさを検知してこの作動部材を往動させる圧力検知部と、上記第１の導入口に対する上記第１の流出口の開口量を上記作動部材の往動量が大きくなるのに応じて減少させる弁体とを有し、
上記第２の導入口から上記筒形ケース内に導入される上記第２の流体は、上記第２の流出口から外部に流出するとともに、上記第１の導入口から上記筒形ケース内に導入される上記第１の流体は、上記第２の流体の導入割合が増加するのに応じて上記第１の流出口の開口量が減少するにつれてその流出割合が減少するように、上記第１の流出口から外部に流出するように構成された医療機器用流体流量制御機構。
【請求項２】
上記第１の流出口は、上記弁体が上記作動部材の往動量と反比例した関係よりもさらに大きな割合で上記第１の流出口の上記開口量を減少させ得るように、上記第１の導入口側がほゞ三角形状に構成された請求項１に記載の医療機器用流体流量制御機構。
【請求項３】
上記第２の流出口は、上記圧力検知部の往動量が大きくなるにつれて上記第２の導入口に対する開口量が増大するように構成された請求項１または２に記載の医療機器用流体流量制御機構。
【請求項４】
保育器基台に請求項１〜３のいずれかに記載の医療機器用流体流量制御機構が組み込まれている保育器。
【発明の詳細な説明】
【０００１】
【発明の属する技術分野】
本発明は、保育器などの医療機器において複数の流体（例えば、酸素と空気）の流量をそれぞれ制御することができる医療機器用流体流量制御機構に関し、さらに、このような医療機器用流体流量制御機構を組み込んだ保育器に関する。
【０００２】
【従来の技術】
未熟児などの虚弱なまたは病弱な新生児に対して制御された環境を与える保育器は、従来から、温度、湿度、酸素含有量などが調節された空気を上記新生児に供給するための調節空気供給装置を備えている。また、この種の調節空気供給装置は、保育器が設置される場所（例えば、産婦人科病院の病室）の空気（以下、「外気」という）や必要に応じて酸素ボンベからの酸素（以下、「供給酸素」という）を適当な割合で保育器のフード内に供給するために、従来から、保育器の基台に設けられた流体流量制御機構を備えている。
【０００３】
図１５〜図１７は、このような従来の保育器用流体流量制御機構の一例（以下、「第１の従来例」という）を示すものある。なお、この図１５〜図１７においては、流体流量制御機構は、保育器のフィルタ取り付け機構に組み込まれた状態で示されているので、以下において、流体流量制御機構のみでなく、フィルタ取り付け機構も、図１５〜図１７を参照して説明する。
【０００４】
図１５〜図１７に示すフィルタ取り付け機構において、その上部に新生児ささえ（図示せず）を有する基台１の背面壁部３には、その底板部４の外周囲に沿って段部６が長方形状（すなわち、ロ字状）に形成されかつ上記底板部４に小孔から成る気体通過用開口５を有する箱蓋形のフィルタ収納ケース７が左右一対のねじ９、１１により上記底板部４においてねじ込み固定されている。なお、基台１には、その上部に設けられた新生児ささえ上に休んでいる新生児を囲うように、透明なフード（図示せず）が装架されている。そして、基台１は、通常は、保育器を載置するための載置台（図示せず）上に配置される。また、基台１の背面壁部３には、フィルタ収納ケース７の気体通過用開口５に対応して小孔から成る気体通過用開口８が設けられている。
【０００５】
上記ねじ９、１１の先端部はフィルタ収納ケース７の底板部４からこのフィルタ収納ケース７内に突出しており、これらのねじ９、１１が不織布パッドなどから成るエアフィルタ１３の左右一対のネジ挿通孔１５、１７に挿通されることにより、このエアフィルタ１３はそのほゞ長方形の外周囲附近を上記段部６に当接させた状態でフィルタ収納ケース７に収納されている。また、フィルタ収納ケース７の内周部には、箱形のフィルタカバー１９の外周部が嵌合しているので、エアフィルタ１３の外周囲附近は、このフィルタカバー１９の先端部を屈曲させることにより上記段部６に向かって形成した押圧部１９ａによって、上記段部６に向って押圧されている。
【０００６】
フィルタカバー１９には、その先端部に袋ナット部２３ａ、２５ａがそれぞれ設けられた左右一対の締め付け具２３、２５が回転自在に取り付けられ、これら一対の締付け具２３、２５を手でねじ込み方向に回転させることにより、ねじ９、１１の先端部は袋ナット部２３ａ、２５ａにそれぞれねじ込み固定されている。したがって、フィルタカバー１９は、エアフィルタ１３の弾性反発力に抗してフィルタ収納ケース７に嵌合固定されているから、エアフィルタ１３の外周囲附近は、フィルタカバー１９の押圧部１９ａによりフィルタ収納ケース７の底板部４の段部６に押し付け固定されている。このために、フィルタカバー１９の前面板部１９ｂとエアフィルタ１３との間にフィルタ前室２９が形成され、また、エアフィルタ１３とフィルタ収納ケース７の底板部４との間にフィルタ後室３０が形成されている。
【０００７】
フィルタカバー１９には、このフィルタカバー１９の前面板部１９ｂに設けられた気体導入穴２７から外気および供給酸素をフィルタ前室２９に導入するための流体流量制御機構３１が設けられている。そして、この流体流量制御機構３１は、図１７（Ａ）および（Ｂ）に明示するように、フィルタカバー１９の前面板部１９ｂに取付け固定されたブロック状の機構本体３５を備え、この機構本体３５は、フィルタカバー１９の前面板部１９ｂの気体導入口２７に対応して設けられた外気導入口３３を有している。また、この機構本体３５には、酸素ボンベ（図示せず）からの供給酸素を供給する酸素供給用パイプ３７の先端部を接続するための接続用パイプ３９が取り付け固定され、この酸素供給用パイプ３７は、この接続用パイプ３９を通して外気導入口３３と連通している。さらに、機構本体３５には、外気用弁体４１がその軸部４１ａにおいて前後進可能に取付けられ、この外気用弁体４１は、コイルスプリング４３によりその後進位置に向って付勢されているので、外気導入口３３は、弁座に相当するその前端部を外気用弁体４１により閉塞され得るようになっている。
【０００８】
気体導入制御機構３１には、不使用時を含む常時には、マーカーパネル４５が装着されている。なお、このマーカーパネル４５は、ほゞ平板形状であって、その下端部に切り込み４５ａを有し、その裏面中央部に短い水平板部４５ｂが突設され、この水平板部４５ｂには、係合孔４７が形成されている。
【０００９】
流体流量制御機構３１が組み込まれた図１５〜図１７に示すフィルタ取り付け機構を通常の使用状態で使用するときには、図１７（Ａ）に示すように、予め、マーカーパネル４５の下端部を流体流量制御機構３１の機構本体３５と外気用弁体４１との間に差し込んで、切り込み部４５ａに外気用弁体４１の軸部４１ａを嵌合させるとともに、機構本体３５に設けた突出部３５ａを係合孔４７に嵌合させておく。なお、この通常の使用状態においては、外気用弁体４１が前進して外気導入口３３の前端部から離れているので、この外気導入口３３は、フィルタ前室２９を外部と連通させている。
【００１０】
したがって、基台１内に設けられた調節空気供給装置の空気循環用ファン（図示せず）を回転駆動すれば、外気は外気導入口３３および気体導入穴２７をそれぞれ通ってフィルタ前室２９に導入される。また、酸素ボンベ（図示せず）のバルブを必要に応じて適当量開放すれば、この酸素ボンベからの供給酸素は、酸素供給用パイプ３７および接続用パイプ３９を通して外気導入口３３内へ導かれて、上述の外気とともにフィルタ前室２９に導入される。この結果、このバルブの開放量に応じて適当量の供給酸素が富化された外気がフィルタ前室２９からエアフィルタ１３、フィルタ後室３０および気体通過用開口５、８をそれぞれ通って空気循環用ファン（図示せず）に向って移動するので、この外気はエアフィルタ１３により浄化される。
【００１１】
しかし、図１７（Ａ）に示す通常使用状態においては、酸素ボンベのバルブを最大限開放して酸素ボンベから供給される供給酸素の流量を例えば１５Ｌ（リットル）／分としても、外気が外気導入口３３および気体導入穴２７をそれぞれ通ってフィルタ前室２９に流入する。したがって、保育器のフード内の気体（すなわち、供給酸素が富化された外気）の酸素濃度をそれほど高くすることができず、この酸素濃度は、図１７（Ａ）に示す場合において、供給酸素の流量を１５Ｌ／分としても、たかだか４０％程度である。
【００１２】
一方、新生児さゝえ上に休んでいる新生児の体に異常が生じた場合などのように、保育器のフード内に多量の酸素を供給する必要があるときが生じる。このような新生児の異常での使用状態で使用するときは、酸素ボンベのバルブを充分開放すると共に、マーカーパネル４５を流体流量制御機構３１の機構本体３５から取り外すようにする。この場合、コイルスプリング４３の付勢力により外気用弁体４１が後進するので、図１７（Ｂ）に示すように、この外気用弁体４１により外気導入口３３の前端部が閉塞される。このために、フィルタ前室２９への外気の導入が遮断されるので、上述の供給酸素のみをフィルタ前室２９に導入することができる。
【００１３】
図１８は、既述のような従来の保育器用流体流量制御機構の別の一例（以下、「第２の従来例」という）を示すものである。なお、図１８においては、流体流量制御機構は保育器のフィルタ取り付け機構に隣接して設けられた状態で示されているので、以下において、流体流量制御機構のみでなく、フィルタ取り付け機構も、図１８を参照して説明する。また、図１８に示す第２の従来例において、図１５〜図１７に示す第１の従来例と共通の部分については、共通の符号を付してその説明を省略する。
【００１４】
図１８に示す流体流量制御機構３１において、その上部に新生児さゝえ（図示せず）有する基台１の背面壁部３には、酸素ボンベ（図示せず）からの供給酸素を供給する酸素供給用パイプ３７の先端部を接続するための接続用パイプ３９が外方に突出するように取り付け固定されている。そして、上記背面壁部３の内側に設けられた第１の内部空間５２には、上記接続用パイプ３９と軸心方向が一致するように、シリコンゴムなどの弾性材料から成るじゃばら形導管５１がその前板部５１ａを背面壁部３に取付け固定されることにより配置されている。また、基台１内には、背面壁部３にほゞ平行に仕切り板部５３が設けられ、この仕切り板部５３には、上記接続用パイプ３９と軸心方向が一致するように、円錐台形の空気導入穴２７が設けられている。さらに、じゃばら形導管５１の後板部５１ｂには、接続用パイプ３９と軸心方向が一致するように、空気導入穴２７とほゞ同形（すなわち、円錐台形）の突出部５１ｃが一体に形成され、また、この突出部５１ｃの中心には、酸素流出口５５が設けられている。そして、じゃばら形導管５１の後板部５１ｂと仕切り板部５３との間には、接続用パイプ３９と軸心方向が一致するように、コイルスプリング４３が介装されている。
【００１５】
基台１の仕切り板部５３の内側に設けられた第２の内部空間５４には、この仕切り板部５３とほゞ平行にエアフィルタ１３が配置されている。そして、このエアフィルタ１３と仕切り板部２９との間にフィルタ前室２９が形成され、また、このエアフィルタ１３のさらに内側には、フィルタ後室３０が形成されている。
【００１６】
図１８に示す流体流量制御機構３１およびフィルタ取付け機構を通常の使用状態で使用するときには、図１８（Ａ）に示す状態において、基台１に設けられた調節空気供給装置の空気循環用ファン（図示せず）を回転駆動すればよい。この場合、基台１の背面壁部３などに形成された外気導入口（図示せず）から基台１の第１の内部空間５２内に導入された外気は、じゃばら形導管５１の外周囲側方から気体導入穴２７を通ってフィルタ前室２９に導入される。
【００１７】
また、酸素ボンベ（図示せず）のバルブを必要に応じて適当量開放すれば、この酸素ボンベからの供給酸素は、酸素供給用パイプ３７および接続用パイプ３９を通してじゃばら形導管５１の内部に導入される。そして、このじゃばら形導管５１の内部に導入された供給酸素は、酸素流出口５５から第１の内部空間５２の一部および気体導入穴２７をそれぞれ通ってフィルタ前室２９に導入される。この場合、じゃばら形導管５１の後板部５１ｂは、バルブの開放量に応じてじゃばら形導管５１の内部に導入された供給酸素の圧力により、コイルスプリング４３の付勢力に抗して後方（図１８の左方）に往動しようとするので、じゃばら形導管５１が伸張して突出部５１ｃが気体導入穴２７に接近する。したがって、じゃばら形導管５１の外周囲側方からフィルタ前室２９に導入される第１の内部空間５２内の外気の流量は、この接近の程度に応じて次第に減少する。
【００１８】
この結果、バルブの開放量に応じて適当量の供給酸素が富化された外気がフィルタ前室２９からエアフィルタ１３およびフィルタ後室３０をそれぞれ通って空気循環用ファン（図示せず）に向かって移動するので、この外気はエアフィルタ１３により浄化される。
【００１９】
一方、新生児の異常での使用状態で使用するときには、酸素ボンベのバルブを充分に開放するようにする。この場合、多量の供給酸素がじゃばら形導管５１の内部に導入されるので、このじゃばら形導管５１の後板部５１ｂは、この供給酸素の圧力によりコイルスプリング４３の附勢力に抗してさらに後方に往動し、このために、突出部５１ｃが気体導入穴２７に嵌合して両者の間が密着する。したがって、じゃばら形導管５１の外周囲とフィルタ前室２９との間が非連通状態になるので、じゃばら形導管５１の外周囲側方からフィルタ前室２９へ外気が導入されなくなり、このために、上述の供給酸素のみをフィルタ前室２９に導入することができる。
【００２０】
【発明が解決しようとする課題】
しかし、図１５〜１７に示す第１の従来例の流体流量制御機構３１の場合、図１７（Ａ）に示す通常使用状態から図１７（Ｂ）に示す新生児の異常での使用状態に切り換えるには、酸素ボンベのバルブを充分に開放するだけではなく、マーカーパネル４５を流体流量制御機構３１の機構本体３５から取り外す必要がある。また、これとは逆に、新生児の異常での使用状態から通常使用状態に切り換えるには、酸素ボンべのバルブを或る程度または完全に閉塞するだけでなく、マーカーパネル４５を上記機構本体３５に取り付ける必要がある。さらに、新生児の異常での使用状態において酸素ボンベ内の酸素がなくなったときには、外気導入口３３が予め閉塞されているために、供給酸素も外気もフィルタ前室２９に導入されなくなる。しかも、新生児の異常での使用状態においては、酸素ボンベからの酸素の流量に対する保育器のフード内の気体（すなわち、供給酸素が富化された外気）の酸素濃度は、外気導入口３３が閉塞されているために、図１９における折線Ａに示すように、その立上りが必要以上に早くて微調整が困難である。
【００２１】
一方、図１８に示す第２の従来例の流体流量制御機構３１の場合、シリコンゴムなどの弾性材料から成るじゃばら形導管５１が必要であり、また、このじゃばら形導管５１が供給酸素の流量に応じて伸縮する必要があるために、じゃばら形導管５１の伸縮動作が製品毎にばら付きかつ円滑に行われ難いから故障し易く、しかも、長期間使用するとじゃばら形導管５１が損傷する恐れがある。また、じゃばら形導管５１は、供給酸素の流量が増大するにつれてコイルスプリング４３の附勢力に抗して伸張する必要があるが、供給酸素の流量に対するじゃばら形導管５１の伸張量の立上りが遅いために、酸素ボンベからの酸素の流量に対する保育器のフード内の気体の酸素濃度は、図１９における折線Ｂに示すように、その立ち上りが遅くて全体としての直線性が悪いものである。さらに、じゃばら形導管５１内の供給酸素の一部が酸素流出口５５から気体導入口２７へと向かわないでじゃばら形導管５１の外周囲へと漏れ出し易いために、供給酸素が浪費される恐れがある。
【００２２】
本発明は、上述のような問題点を解決するために発明されたものである。
【００２３】
【課題を解決するための手段】
本発明による医療機器用流体流量制御機構は、筒形ケースとこの筒形ケース内を往復動し得る作動部材とを備え、上記筒形ケースは、第１の流体を上記筒形ケース内に導入する第１の導入口と、第２の流体を上記筒形ケース内に導入する第２の導入口と、上記第１の導入口から上記筒形ケース内に導入される上記第１の流体をこの筒形ケース内から外部に流出させる第１の流出口と、上記第２の導入口から上記筒形ケース内に導入される上記第２の流体をこの筒形ケース内から外部に流出させる第２の流出口とを有し、上記作動部材は、上記第２の導入口から上記筒形ケース内に導入される上記第２の流体の圧力の大きさを検知してこの作動部材を往動させる圧力検知部と、上記第１の導入口に対する上記第１の流出口の開口量を上記作動部材の往動量が大きくなるのに応じて減少させる弁体とを有し、上記第２の導入口から上記筒形ケース内に導入される上記第２の流体は、上記第２の流出口から外部に流出するとともに、上記第１の導入口から上記筒形ケース内に導入される上記第１の流体は、上記第２の流体の導入割合が増加するのに応じて上記第１の流出口の開口量が減少するにつれてその流出割合が減少するように、上記第１の流出口から外部に流出するように構成されている。
【００２４】
【発明の実施の形態】
次に、本発明を保育器に適用してフィルタ取り付け機構に組み込んだ医療機器用流体流量制御機構の一実施例を図１〜図１４を参照しつつ説明する。なお、図１〜図１４に示す実施例において、図１５〜図１７に示す第１の従来例および図１８に示す第２の従来例と共通の部分については、共通の符号を付してその説明を省略する。
【００２５】
図１〜図３に示すフィルタ取り付け機構は、基台１の背面壁部３に形成されたほゞ直方体形状の気体導入制御空間６１を有している。そして、この制御空間６１の上壁部には、Ｕ字状係止部６２が取り付け固定され、その左右両側壁部には、上記制御空間６１の前方側において左右一対の軸支部材６４ａ、６４ｂがそれぞれ回動自在に取付けられている。
【００２６】
気体導入制御空間６１はヒンジ式開閉ドア６３の収納空間を構成するものであって、この気体導入制御空間６１には、この制御空間６１とほゞ同じ大きさでほゞ直方体形状のヒンジ式開閉ドア６３が収納配置されている。そして、この開閉ドア６３は、前記左右一対の軸支部材６４ａ、６４ｂにより気体導入制御空間６１の左右両側壁部にそれぞれ回動自在に軸支されている。したがって、開閉ドア６３は、左右一対の軸支部材６４ａ、６４ｂを支点として図１〜図３に示す閉位置から開位置へと前方（図３の右方）に往回動することができるとともに、これとは逆方向に復回動することができる。
【００２７】
開閉ドア６３の前面の上部中央やゝ右寄りには、凹部６５が形成され、この凹部６５の左右両側壁部には、操作レバー６７が支軸６９により回動自在に軸支されて取り付けられている。そして、操作レバー６７の弾性係止部６７ａと基台１のＵ字状係止部６２とからヒンジ式開閉ドア６３の閉位置でのロック機構が構成されていて、弾性係止部６７ａは、Ｕ字状係止部６２に弾性的にかつ選択的に係止し得るようになっている。
【００２８】
開閉ドア６３の前面の下部には、左右一対の外気導入口７１ａ、７１ｂが形成されている。また、この開閉ドア６３の前方開口には、透明窓板７３が取り付け固定され、その後方開口７４に臨むように図３に示すホルダ付きフィルタ７５が着脱自在に取り付けられている。したがって、このホルダ付きフィルタ７５に取り付けられているエアフィルタの汚れの程度をこの透明窓板７３を通して外部から目視することができる。
【００２９】
開閉ドア６３の左側壁部には、図１および図３に明示するように、気体供給用バルブ機構を構成する流体流量制御機構７７が取付けられている。そして、この制御機構７７は、図４および図５に明示するように、その上端に外気導入口７９を有しかつ酸素供給用パイプ８１の基端部が接続された接続用パイプ８３をその下端附近に有する筒形ケース８５と、この酸素供給用パイプ８１を通して供給される供給酸素の圧力の大きさに応じて上下方向に往復動する作動部材８７とを備えている。また、この作動部材８７は、上記供給酸素の圧力が加わることにより上昇するピストン部材から構成された圧力検知板部８９と、この圧力検知板部８９の上下方向の位置に応じて上記外気導入口７９の開口率を変化させることにより外気の導入量を調節する外気用弁体９１と、この外気用弁体９１を圧力検知板部８９に連結している弁棒９３と、この弁棒９３に設けられたスプリング受け９５とを有している。そして、このスプリング受け９５と圧力検知板部８９との間にコイルスプリング４３が介在している。
【００３０】
筒形ケース８５は、前記外気導入口７９を有する弁座部材９７がその上端に取付け固定されたケース本体９９と、このケース本体９９の下部にその上部が嵌合されて取付け固定され多数の内側酸素流出孔１０１が上下方向に沿って一列に形成されたシリンダ部１０３と、このシリンダ部１０３の下部にその上部が嵌合されて取付け固定されその下端附近に前記接続用パイプ８３が設けられた酸素導入管部１０５とを有している。また、ケース本体９９には、弁棒９３を軸心方向に往復動し得るように軸支するスラスト軸受け１０７がそのくびれ部１０９に設けられ、このスラスト軸受け１０７およびくびれ部１０９によりその内部空間が上下に２分割されて上部空間１１０および下部空間１１１がそれぞれ形成されている。そして、ケース本体９９には、この上部空間１１０に臨むように１個の外気流出孔１１３が設けられ、また、この下部空間１１１に臨むように１個の外側酸素流出孔１１５が設けられている。したがって、シリンダ部１０３に設けられた多数の内側酸素流出孔１０１は、下部空間１１１を介してこの外側酸素流出孔１１５とそれぞれ連通している。このために、シリンダ部１０３は、肉薄の径小部１０３ａをその上部に有し、この径小部１０３ａに内側酸素流出孔１０１が形成されている。
【００３１】
外気導入口７９および外側酸素流出孔１１５は、図４に明示するように、それぞれ円形であり、また、多数の内側酸素流出孔１０１もそれぞれ円形の小孔から成っている。これに対し、外気流出孔１１３は、図４に明示するように、その上部がほゞ二等辺三角形であり、また、その下部がほゞ円形であり、これらの二等辺三角形と円形とが互いに接するように組み合せられた逆涙滴形状（すなわち、涙滴または液滴を上下逆にした形状）となっている。
【００３２】
シリンダ部１０３のシリンダ孔１１６の下端には、不織布パッドなどから成る酸素フィルタ１１７が設けられている。そして、ケース本体９９のくびれ部１０９は、作動部材８７の最大下降位置（すなわち、最大復動位置）において圧力検知板部８９がこの酸素フィルタ１１７に当接しないように、外気用弁体９１の下限ストッパとして機能する。なお、上記外気導入口７９に導入される外気としては、開閉ドア６３の前面に形成された一対の外気導入口７１ａ、７１ｂからこの開閉ドア６３の内部に流入する外気が用いられる。
【００３３】
開閉ドア６３の左側壁部には、筒形ケース８５に導入された外気および供給酸素をフィルタ前室２９にそれぞれ送り込む外気導入口１１９および酸素導入口１２１が筒形ケース８５の外気流出孔１１３および外側酸素流出孔１１５にそれぞれ対応してかつこれらとほゞ同形で設けられている。また、開閉ドア６３の前部左側の下方には、図２に明示するように、カップ状の凹部１２３が設けられ、この凹部１２３の底面には、酸素供給用パイプ８１の先端部が接続された接続用パイプ３９が取付け固定されている。そして、酸素ボンベ（図示せず）からの供給酸素を供給する外部の酸素供給用パイプ（図示せず）の先端部をこの接続用パイプ３９に接続し得るようになっている。また、この接続用パイプ３９の先端は、図３に明示するように、開閉ドア６３の前面とほゞ面一になっているので、この接続用パイプ３９に何物かが引っかゝって邪魔になる恐れはない。
【００３４】
流体流量制御機構７７が組み込まれた図１〜図５に示すフィルタ取り付け機構を通常の使用状態で使用するときには、基台１内に設けられた調節空気供給装置の空気循環用ファン（図示せず）を回転駆動させるとともに、酸素ボンベ（図示せず）のバルブを必要に応じて適当量開放すればよい。このようにすれば、酸素ボンベからの供給酸素がこのバルブの開放量に応じて外部の酸素供給用パイプ（図示せず）、外部の接続用パイプ３９、内部の酸素供給用パイプ８１および内部の接続用パイプ８３をそれぞれ通して流体流量制御機構７７の筒形ケース８５の酸素導入管部１０５内に導入される。また、外気がこの供給酸素の導入量に応じて（たゞし、供給酸素と外気との導入量の大小関係は互いに逆でほゞ反比例の関係になる）その外気導入口７９から筒形ケース８５のケース本体９９の上部空間１１０内に導入される。そして、この導入された供給酸素は内側酸素流出孔１０１、外側酸素流出孔１１５および酸素導入口１２１をそれぞれ通ってフィルタ前室２９に導入され、また、上記導入された外気は外気流出孔１１３および外気導入口１１９をそれぞれ通ってフィルタ前室２９に導入されるので、これらの供給酸素および外気はこゝで混合される。この結果、必要に応じて適当量の酸素が富化された外気がフィルタ前室２９からホルダ付きフィルタ７５のエアフィルタおよびフィルタ後室（図示せず）をそれぞれ通って空気循環用ファン（図示せず）に向って移動するので、この外気は上記エアフィルタにより浄化される。
【００３５】
一方、新生児の異常での使用状態で使用するときには、筒形ケース８５の酸素導入管部１０５への供給酸素の導入量を一定値よりも大きくすればよい。この場合、流体流量制御機構７７の外気用弁体９１が外気導入口７９を完全に閉塞するので、上述の供給酸素のみをフィルタ前室２９に導入することができる。
【００３６】
また、ホルダ付きフィルタ７５のエアフィルタを取り替えたいときには、図１〜図３の状態において操作レバー６７に指を係合させてからこの操作レバー６７を支軸６９を支点として前方へ回動させればよい。この場合、操作レバー６７の弾性係止部６７ａがＵ字状係止部６２に対する弾性的係止を解除するので、操作レバー６７を手で握ってヒンジ式開閉ドア６３全体を軸支部材６４ａ，６４ｂを支点として前方へ回動させることができる。
【００３７】
次に、流体流量制御機構７７の動作の詳細を図５〜図１４および図１９を参照しつゝ具体的に説明する。
（１）筒形ケース８５の酸素導入管部１０５内への供給酸素の流量（以下、「供給酸素流量」という）が０Ｌ／分のときには、図５に示すように、外気用弁体９１が筒形ケース８５のケース本体９９のくびれ部１０９に当接している。したがって、外気導入口７９および外気流出孔１１３は図１４（Ａ）に示すようにそれぞれ全開し、また、シリンダ部１０３の内側酸素流出孔１０１は圧力検知板部８９により酸素導入管部１０５の内部とは隔離されている。このために、フィルタ前室２９に供給される気体（以下、「供給気体」という）は、外気１９．２Ｌ／分で供給酸素０Ｌ／分である。
（２）供給酸素流量を１Ｌ／分にすると、この供給酸素の圧力が圧力検知板部８９に加わるので、図６に示すように、作動部材８７が上昇する。そして、この圧力検知板部８９が一番下の内側酸素流出孔１０１を酸素導入管部１０５の内部と連通させるとともに、図１４（Ｂ）に示すように、外気流出孔１１３はその上部の二等辺三角形部分のみが外気導入口７９に対して開放された状態になる。したがって、供給気体は外気１４．３Ｌ／分で供給酸素１Ｌ／分である。
（３）供給酸素流量を２Ｌ／分、３Ｌ／分、４Ｌ／分、５Ｌ／分および６Ｌ／分に順次増加すると、作動部材８７は図７、図８、図９、図１０および図１１に示すように順次往動する。そして、圧力検知板部８９が一番下、下から２番目、下から３番目および下から４番目の内側酸素流出孔１０１を酸素導入管部１０５の内部と順次連通させるとともに、図１４（Ｃ）、図１４（Ｄ）、図１４（Ｅ）、図１４（Ｆ）および図１４（Ｇ）に示すように、外気流出孔１１３の二等辺三角形部分を外気導入口７９に対して次第に閉塞する。したがって、供給気体は、外気８．３Ｌ／分で供給酸素２Ｌ／分、外気５．６Ｌ／分で供給酸素３Ｌ／分、外気２．５Ｌ／分で供給酸素４Ｌ／分、外気０．７Ｌ／分で供給酸素５Ｌ／分および外気ほゞゼロＬ／分で供給酸素６Ｌ／分と順次切り換わる。
（４）供給酸素流量を７Ｌ／分および８Ｌ／分とさらに増加すると、作動部材８７は図１２および図１３に示すようにさらに往動するので、ついにはこの作動部材８７の外気用弁体９１は、図１４（Ｈ）の状態を経て、図１４（Ｉ）に示すように弁座部材９７に密着して、外気導入口７９を完全に閉塞する。そして、圧力検知板８９は下から１番目〜５番目の内側酸素流出孔１０１を酸素導入管部１０５の内部と連通させる。したがって、供給気体は、外気ゼロＬ／分で供給酸素７Ｌ／分および外気ゼロＬ／分で供給酸素８Ｌ／分にそれぞれなる。そして、供給酸素流量をさらに増加しても、供給気体はこの増加した量の供給酸素のみとなる。
【００３８】
上述の流体流量制御機構７７によれば、上記（１）項〜（４）項に記載したようにして供給気体中の酸素と外気との割合を供給酸素の量に応じて変化させることができ、この両者の変化はほゞ反比例の関係にあるから、図１９の折線Ｃに示すように、供給酸素流量に対する保育器のフード内の気体の酸素濃度を約２０％〜約９０％までほゞ直線的に変化させることができる。
【００３９】
なお、上述の実施例においては、本発明による流体流量制御機構を保育器に適用したが、保育器以外の医療機器にも適用することができる。
【００４０】
また、上述の実施例においては、外気の流量と供給酸素の流量とを制御するようにしたが、それ以外の気体、ミストを含む気体、その他の任意の複数の流体の流量を制御するのに適用することもできる。
【００４１】
また、上述の実施例においては、作動部材８７が全往動長のうちの約６０％往動したときに内側酸素流出孔１０１が酸素導入管部１０５の内部に対して初めて開放されるようにしたが、誤動作を防止する観点から、好ましくは３０〜８０％、さらに好ましくは４５〜７０％往動したときに内側酸素流出孔１０１が酸素導入管部１０５の内部に対して初めて開放されるのが好ましい。
【００４２】
また、上述の実施例においては、小孔から成る多数の内側酸素流出孔１０１を作動部材８７の軸心方向に沿って一列に形成するようにした。しかし、軸心方向に対して或る程度傾斜した方向に沿って一列に形成してもよい。また、圧力検知板部８９の往動量が大きくなるにつれて酸素導入管部１０５の内部に対する開口量が増大するように、上記内側酸素流出孔１０１が単一のスリット状開孔から形成されていてもよく、このスリット状開孔は作動部材８７の軸心方向に沿ってまたはこの軸心方向に対して或る程度傾斜して延びていてよい。
【００４３】
また、上述の実施例においては、内部の接続用パイプ８３とは別に外部の接続用パイプ３９を設けたが、内部の接続用パイプ８３に外部の接続用パイプ３９を兼用させてこの内部の接続用パイプ８３を図３に示す外部の接続用パイプ３９の位置に配することにより、この外部の接続用パイプ３９および内部の酸素供給用パイプ８１をそれぞれ省略してもよい。
【００４４】
さらに、上述の実施例においては、供給酸素を筒形ケース８５内から外部に流出させる流出口として、多数の内側酸素流出孔１０１と１個の外側酸素流出孔１１５とを設けたが、シリンダ部１０３をケース本体９９と一体に構成してケース本体９９に多数の酸素流出孔１０１を設けることにより、外側酸素流出孔１１５を省略することもできる。
【００４５】
【発明の効果】
本発明によれば、第２の流体の筒形ケース内への導入量の増加の程度に応じて第１の流体の筒形ケース内への導入量が自動的に減少するから、第２の流体の筒形ケース内への導入量に対する第１の流体の筒形ケース内への導入量の制御が容易であり、また、第２の流体がなくなってしまってこの第２の流体を導入し得なくなっても、第１の流体がある限り、この第１の流体を筒形ケース内に充分に導入することができる。
【００４６】
また、基本的には、筒形ケースとこの筒形ケース内を往復動し得る作動部材とから構成したから、構造が簡単で動作が確実で故障し難く、しかも、耐久性に富んでいる。
【図面の簡単な説明】
【図１】本発明を保育器に適用してフィルタ取り付け機構に組み込んだ医療機器用流体流量制御機構の一実施例におけるフィルタ取り付け機構の正面図である。
【図２】図１に示すフィルタ取り付け機構の斜視図である。
【図３】図１のIII−III線の断面図である。
【図４】図３に示す流体流量制御機構の斜視図である。
【図５】供給酸素流量０Ｌ／分における図４のＶ−Ｖ線の断面図である。
【図６】供給酸素流量１Ｌ／分における図５と同様の図である。
【図７】供給酸素流量２Ｌ／分における図５と同様の図である。
【図８】供給酸素流量３Ｌ／分における図５と同様の図である。
【図９】供給酸素流量４Ｌ／分における図５と同様の図である。
【図１０】供給酸素流量５Ｌ／分における図５と同様の図である。
【図１１】供給酸素流量６Ｌ／分における図５と同様の図である。
【図１２】供給酸素流量７Ｌ／分における図５と同様の図である。
【図１３】供給酸素流量８Ｌ／分における図５と同様の図である。
【図１４】図４に示す流体流量制御機構の外気導出口の開閉状態を示す外気導出口附近の正面図であって、（Ａ）〜（Ｉ）は、図５〜図１３の供給酸素流量の状態にそれぞれ対応している。
【図１５】保育器のフィルタ取り付け機構に組み込まれた流体流量制御機構の第１の従来例におけるフィルタ取り付け機構の分解斜視図である。
【図１６】図１５に示すフィルタ取り付け機構の中央横断面図である。
【図１７】（Ａ）は通常の使用状態における図１６のXVII−XVII線の断面図であり、（Ｂ）は新生児の異常での使用状態における（Ａ）と同様の図である。
【図１８】（Ａ）は保育器のフィルタ取り付け機構に隣接して設けられた流体流量制御機構の第２の従来例を示す流体流量制御機構附近の通常の使用状態における横断面図であり、（Ｂ）は新生児の異常での使用状態における（Ａ）と同様の図である。
【図１９】図１〜図１４に示す本発明の一実施例、図１５〜図１７に示す第１の従来例および図１８に示す第２の従来例における供給酸素流量に対する酸素濃度の関係を示す線図である。
【図１】
0003626809.tif 000002
【図２】
0003626809.tif 000003
【図３】
0003626809.tif 000004
【図４】
0003626809.tif 000005
【図５】
0003626809.tif 000006
【図６】
0003626809.tif 000007
【図７】
0003626809.tif 000008
【図８】
0003626809.tif 000009
【図９】
0003626809.tif 000010
【図１０】
0003626809.tif 000011
【図１１】
0003626809.tif 000012
【図１２】
0003626809.tif 000013
【図１３】
0003626809.tif 000014
【図１４】
0003626809.tif 000015
【図１５】
0003626809.tif 000016
【図１６】
0003626809.tif 000017
【図１７】
0003626809.tif 000018
【図１８】
0003626809.tif 000019
【図１９】
0003626809.tif 000020